(57)【特許請求の範囲】
【請求項１】
床スラブ上に立設される束材に連結された脚部の上部に載置固定される梁材と、この梁材上に敷設される床材とを具備する二重床において、
一端が上記束材と脚部に固定され、他端が上記梁材との間に座金を介在し、固定ボルトとナットの締結によって固定されるステーを具備し、
上記梁材は、長手方向に上記固定ボルトの頭部をスライドのみ可能に挿入する凹溝を具備し、
上記座金に、上記梁材に食い込む第１の係止突起と、上記ステーに食い込む第２の係止突起とを設けた、ことを特徴とする二重床における梁材の取付構造。
【請求項２】
請求項１記載の二重床における梁材の取付構造において、
上記座金が略矩形状に形成され、第１の係止突起は、梁材の長手方向に対して直交する方向の対向する辺部に突設され、第２の係止突起は、固定ボルトを貫挿する貫通孔の周縁に突設される、ことを特徴とする二重床における梁材の取付構造。
【請求項３】
請求項１又は２記載の二重床における梁材の取付構造において、
上記固定ボルトの頭部と梁材の凹溝開口部との間に介在される第２の座金を更に具備し、この第２の座金に、上記梁材に食い込む第３の係止突起を設けた、ことを特徴とする二重床における梁材の取付構造。
【請求項４】
請求項３記載の二重床における梁材の取付構造において、
上記第２の座金が略矩形状に形成され、第３の係止突起は、梁材の長手方向に対して直交する方向の対向する辺部に突設される、ことを特徴とする二重床における梁材の取付構造。
【請求項５】
請求項１ないし４のいずれかに記載の二重床における梁材の取付構造において、
上記係止突起は、尖先状に形成される、ことを特徴とする二重床における梁材の取付構造。
【発明の詳細な説明】
【技術分野】
【０００１】
この発明は、二重床における梁材の取付構造に関するもので、更に詳細には、例えば電算機や通信機器等を収容する室内の床スラブ上に構築される二重床における梁材の取付構造に関するものである。
【背景技術】
【０００２】
従来、この種の二重床は、床スラブ上に立設される脚部を有する脚フレームの支持部にて支持される梁材上に床材を敷設した構造となっている。なお、梁材は、例えばアルミニウム合金製の押出形材にて形成され、脚フレームは、例えばアルミニウム合金製の鋳造品にて形成されている。このように構成される二重床において、梁材は、長手方向にボルトの頭部をスライドのみ可能に挿入する接合溝を設け、この接合溝内に挿入されるボルトの頭部と接合溝の開口部との間に介在される板ワッシャの下面に、接合溝の長手方向と直交する方向に刃部を形成し、ボルトとナットとを締結することによって、板ワッシャの刃部が接合溝に食い込んで、ボルトの接合溝の長手方向への移動を阻止した状態で脚フレームと梁材を固定している（例えば、特許文献１参照）。
【特許文献１】特開２００４−２７８１８５号公報（段落番号００７２，００７３、図４、図６）
【発明の開示】
【発明が解決しようとする課題】
【０００３】
しかしながら、特開２００４−２７８１８５号公報に記載の構造は、ボルトの接合溝の長手方向への移動を阻止することができるが、梁材の下面と脚フレームの支持部の上面とは当接した状態であるので、振動等によってボルトとナットの締結力以上の荷重がかかった場合、梁材と脚フレームの支持部とがずれてしまう虞があった。
【０００４】
そこで、地震等の荷重入力に対してボルトとナットの締結力のみでずれを防止しようとした場合、非常に大きいサイズのボルトとナットが必要になり、コストが嵩む。
【０００５】
また、床部に強度をもたせるために、脚フレームの間隔を狭めるか、あるいは、脚フレームの支持部の張り出しを大きくする等の方策が必要となる。しかし、脚フレームの間隔を狭めると、多くの脚フレームが必要となり構成部材が多くなると共に施工が煩雑になるという問題がある。また、脚フレームの支持部の張り出しを大きくすると、脚フレームが大型となり、現場への搬入や設置に手間を要するばかりか、コストが嵩むという問題もある。
【０００６】
この発明は、上記事情に鑑みてなされたもので、施工を容易にすると共に、振動等によってボルトとナットの締結が緩んだ場合においても梁材のずれによる床部の変形を防止する二重床における梁材の取付構造を提供することを課題とするものである。
【課題を解決するための手段】
【０００７】
上記課題を解決するために、請求項１記載の発明は、床スラブ上に立設される束材に連結された脚部の上部に載置固定される梁材と、この梁材上に敷設される床材とを具備する二重床において、  一端が上記束材と脚部に固定され、他端が上記梁材との間に座金を介在し、固定ボルトとナットの締結によって固定されるステーを具備し、  上記梁材は、長手方向に上記固定ボルトの頭部をスライドのみ可能に挿入する凹溝を具備し、  上記座金に、上記梁材に食い込む第１の係止突起と、上記ステーに食い込む第２の係止突起とを設けた、ことを特徴とする。この場合、上記座金を略矩形状に形成し、第１の係止突起を、梁材の長手方向に対して直交する方向の対向する辺部に突設し、第２の係止突起を、固定ボルトを貫挿する貫通孔の周縁に突設する方が好ましい（請求項２）。
【０００８】
このように構成することにより、脚部の上部に載置固定される梁材を、束材と脚部に固定されるステーによって支持することができる。また、固定ボルトとナットの締結によって、梁材とステーの間に介在される座金の第１の係止突起が梁材に食い込むと共に、第２の係止突起がステーに食い込むことにより、梁材の長手方向における梁材とステーのずれが防止される。
【０００９】
この場合、座金を略矩形状に形成し、第１の係止突起を、梁材の長手方向に対して直交する方向の対向する辺部に突設し、第２の係止突起を、固定ボルトを貫挿する貫通孔の周縁に突設することにより、略矩形状に形成される座金の対向する辺部に突設される第１の係止突起を、梁材の長手方向に対して直交する方向に食い込ませ、第２の係止突起を、座金の位置が多少ずれた場合でもステーにおけるボルト貫通孔の周縁部に食い込ませることができる（請求項２）。
【００１０】
また、請求項３記載の発明は、請求項１又は２記載の二重床における梁材の取付構造において、上記固定ボルトの頭部と梁材の凹溝開口部との間に介在される第２の座金を更に具備し、この第２の座金に、上記梁材に食い込む第３の係止突起を設けた、ことを特徴とする。この場合、第２の座金を略矩形状に形成し、第３の係止突起を、梁材の長手方向に対して直交する方向の対向する辺部に突設する方が好ましい（請求項４）。
【００１１】
このように構成することにより、固定ボルトとナットの締結によって、固定ボルトの頭部と梁材の凹溝開口部との間に介在される第２の座金の第３の係止突起を、梁材に食い込ませることができ、梁材の長手方向における第２の座金及び固定ボルトの移動を防止することができる。この場合、第２の座金を略矩形状に形成し、第３の係止突起を、梁材の長手方向に対して直交する方向の対向する辺部に突設することにより、略矩形状に形成される第２の座金の対向する辺部に突設される第３の係止突起を、梁材の長手方向に対して直交する方向に食い込ませることができる。
【００１２】
また、この発明において、上記係止突起を尖先状に形成する方が好ましい（請求項５）。
【００１３】
このように構成することにより、係止突起を梁材、ステーに容易に食い込ませることができる。
【発明の効果】
【００１４】
この発明によれば、上記のように構成されているので、以下のような効果が得られる。
【００１５】
（１）請求項１記載の発明によれば、脚部の上部に載置固定される梁材を、束材と脚部に固定されるステーによって支持することができ、また、固定ボルトとナットの締結によって、梁材とステーの間に介在される座金の第１の係止突起を梁材に食い込ませると共に、第２の係止突起をステーに食い込ませて、梁材の長手方向における梁材とステーのずれを防止することができる。したがって、施工を容易にすると共に、振動等によってボルトとナットの締結が緩んだ場合においても梁材のずれによる床部の変形を確実に防止することができる。
【００１６】
（２）請求項２記載の発明によれば、略矩形状に形成される座金の対向する辺部に突設される第１の係止突起を、梁材の長手方向に対して直交する方向に食い込ませ、第２の係止突起を、座金の位置が多少ずれた場合でもステーにおけるボルト貫通孔の周縁部に食い込ませることができるので、上記（１）に加えて、更に施工を容易にすると共に、梁材のずれによる床部の変形を確実に防止することができる。
【００１７】
（３）請求項３記載の発明によれば、固定ボルトとナットの締結によって、固定ボルトの頭部と梁材の凹溝開口部との間に介在される第２の座金の第３の係止突起を、梁材に食い込ませて、梁材の長手方向における第２の座金及び固定ボルトの移動を防止することができるので、上記（１），（２）に加えて、更に梁材のずれによる床部の変形を確実に防止することができる。
【００１８】
（４）請求項４記載の発明によれば、略矩形状に形成される第２の座金の対向する辺部に突設される第３の係止突起を、梁材の長手方向に対して直交する方向に食い込ませることができるので、上記（３）に加えて、更に梁材のずれによる床部の変形を確実に防止することができる。
【００１９】
（５）請求項５記載の発明によれば、係止突起を梁材、ステーに容易に食い込ませることができるので、上記（１）〜（４）に加えて、更に施工を容易にすると共に、梁材のずれによる床部の変形を確実に防止することができる。
【発明を実施するための最良の形態】
【００２０】
以下に、この発明の最良の実施形態を添付図面に基づいて詳細に説明する。ここでは、この発明に係る二重床を通信機器や電算機等を収容する室内に構築されるフリーアクセスフロアに適用した場合について説明する。
【００２１】
◎第１実施形態
図１は、この発明に係る梁材の取付構造の第１実施形態を示す正面図、図２は、図１の側面図である。
【００２２】
この発明に係る二重床１は、図１及び図２に示すように、床スラブ２上にアンカーボルト３によって立設される束材４と、この束材４の上部に固定される脚部１０と、この脚部１０の上部支持面に載置固定される梁材２０と、この梁材２０に設置される床板例えばアルミニウム合金製押出形材にて形成される床パネル５と、一端が束材４と脚部１０に固定され、他端が梁材２０との間に座金３０（以下に第１の座金３０という）を介在し、固定ボルト４０とナット４１（以下に第１の固定ボルト４０、第１の固定ナット４１という）の締結によって固定されるステー５０とで主に構成されている。
【００２３】
上記脚部１０は、束材４の上部に固定される例えばアルミニウム合金製の鋳造品にて形成される脚本体１１と、この脚本体１１の上面に載置されると共に、ボルト６とナット７によって固定されるアルミニウム合金製の押出形材にて形成される脚フレーム１２とで構成されている。
【００２４】
この場合、脚本体１１は、束材４に固定される中空矩形状基部１１ａと、この中空矩形状基部１１ａの上端から斜め上方に突設される第１ブラケット１１ｂと、中空矩形状基部１１ａの一側面から斜め上方に突設される第２ブラケット１１ｃとで構成されている。この脚本体１１は、束材４に設けられたねじ部に螺合する固定ナット４ａによって束材４の上部に固定される。また、脚本体１１の第１ブラケット１１ｂ及び第２ブラケット１１ｃの上面に脚フレーム１２が載置され、ボルト６とナット７の締結によって固定されている（図２参照）。
【００２５】
また、脚フレーム１２は、中空矩形状本体１２ａの上、下端部にそれぞれ上部フランジ１２ｂ及び下部フランジ１２ｃを突設してなり、下部フランジ１２ｃがボルト６とナット７によって脚本体１１の第１ブラケット１１ｂ及び第２ブラケット１１ｃの上面に固定され、また、上部フランジ１２ｂの上部支持面に梁材２０が載置されると共に、第２の固定ボルト４２と第２の固定ナット４３によって固定されている（図１及び図２参照）。
【００２６】
上記梁材２０は、アルミニウム合金製の押出形材にて形成されており、上部の一端に床パネル５の載置段部２１を有する中空矩形状の段付き本体２２と、この段付き本体２２の下端両側に形成される長手方向に沿う一対の狭隘開口状の第１及び第２の凹溝２３，２４を具備している（図２参照）。この場合、第１及び第２の凹溝２３，２４は、この凹溝２３，２４内に挿入される第１の固定ボルト４０及び第２の固定ボルト４２の頭部４４をスライドのみ可能に挿入すべく係止凸条２５が内壁面に突設されている（図３参照）。この場合、段付き本体２２は、図２に示すように、水平仕切壁２２ａを介して上部中空矩形部２２ｂとこの上部中空矩形部２２ｂより大きい下部中空矩形部２２ｃとが一体に形成されている。なお、下部中空矩形部２２ｃ内の一方の対角線上には補強リブ２２ｄが設けられ、上部中空矩形部２２ｂの上端面の一側には水平フランジ２２ｅが突設されており、この水平フランジ２２ｅ上に載置される通信機器８等がボルト９ａとナット９ｂによって固定されるようになっている。また、梁材２０の載置段部２１の上面及び側面には、それぞれ長手方向に沿う狭隘開口状の嵌合溝２６ａ，２６ｂが設けられており、これら嵌合溝２６ａ，２６ｂ内に床パネル載置用パッキン２７又は床パネル当接用パッキン２８が嵌合・固定されている。
【００２７】
上記ステー５０は、例えばアルミニウム製押出形材若しくはアルミニウムパイプにて形成されており、下端に折曲された下部折曲片５１が束材４に設けられたねじ部に螺合される固定ナット４ａによって束材４と脚部１０の固定部に固定される。また、上端に折曲された上部折曲片５２に穿設された２つの貫通孔５３内に第１の固定ボルト４０が貫挿され、第１の固定ボルト４０の突出部に第１の固定ナット４１を締結することによって梁材２０に固定されている。この場合、下部折曲片５１及び上部折曲片５２は、それぞれステー５０の長手方向に延在する軸線に対して約４５°に折曲されており、ステー５０は、直交する束材４と梁材２０に対して略４５°に傾斜して取り付けられている。
【００２８】
また、上記梁材２０の第１の凹溝２３とステー５０の上部折曲片５２との間に第１の座金３０が介在され、第１の固定ボルト４０の頭部４４と第１の凹溝２３の開口部との間に第２の座金３０Ａが介在されている（図３参照）。
【００２９】
上記第１の座金３０は、図４及び図５に示すように、中心部に貫通孔３０ａを有する略矩形状に形成されており、梁材２０に食い込む第１の係止突起３１が、梁材２０の長手方向に対して直交する方向の対向する辺部に突設され、ステー５０に食い込む第２の係止突起３２が、第１の固定ボルト４０を貫挿する貫通孔３０ａの周縁に突設されている。この場合、第１の係止突起３１及び第２の係止突起３２は、それぞれ先端に向かって先鋭な尖先状に形成されている。
【００３０】
上記のように、梁材２０とステー５０との間に介在される第１の座金３０に設けられる梁材２０に食い込む第１の係止突起３１を、梁材２０の長手方向に対して直交する方向の対向する辺部に突設し、ステー５０に食い込む第２の係止突起３２を、第１の固定ボルト４０を貫挿する貫通孔３０ａの周縁に突設し、かつ、第１の係止突起３１及び第２の係止突起３２を尖先状に形成することにより、第１の固定ボルト４０と第１の固定ナット４１の締結によって、第１の係止突起３１を容易に梁材２０の第１の凹溝２３の開口部に食い込ませることができると共に、第２の係止突起３２を容易にステー５０に設けられた貫通孔５３の周縁部に食い込ませることができる。この際、図４（ｂ）に示すように、第１の座金３０の位置がずれても第２の係止突起３２はステー５０の貫通孔５３の周縁部に食い込むことができ、第２の係止突起３２のずれ防止機能は保持される。したがって、施工時に梁材２０の設置位置の寸法誤差が生じても、梁材２０の任意の位置とステー５０とを強固に固定することができ、第１の固定ボルト４０と第１の固定ナット４１の締結が緩んだ場合でも梁材２０とステー５０とのずれを確実に防止することができる。
【００３１】
なお、上記第２の座金３０Ａも中心部に貫通孔３０ａを有する略矩形状に形成されており、第１の凹溝２３内に配設された状態において、第１の凹溝２３の両側壁に係合して回転が阻止されるようになっている。
【００３２】
また、第２の凹溝２４内に挿入される第２の固定ボルト４２の頭部４４と梁材２０の第２の凹溝２４との間には、第２の座金３０Ａと同様に形成される座金３０Ｂが介在されている。すなわち、座金３０Ｂは、中心部に貫通孔（図示せず）を有する略矩形状に形成されており、第２の凹溝２４内に配設された状態において、第２の凹溝２４の両側壁に係合して回転が阻止されるようになっている。
【００３３】
上記のように構成された第２の凹溝２４内に挿入される第２の固定ボルト４２を脚フレーム１２の上部フランジ１２ｂに設けられた貫通孔（図示せず）に貫挿し、第２の固定ボルト４２の突出部に第２の固定ナット４３を締結することによって、脚フレーム１２の上面に梁材２０が固定される。この際、第２の固定ボルト４２の頭部４４も、第２の凹溝２４内に突設された係止凸条２５によってスライドのみ可能に挿入されるので、施工時に梁材２０の位置寸法に誤差が生じても、第２の凹溝２４の任意の位置と脚フレーム１２とを容易に固定することができる。
【００３４】
◎第２実施形態
図６は、この発明に係る梁材の取付構造の第２実施形態の要部を示す拡大断面図である。
【００３５】
第２実施形態は、梁材２０のずれを更に確実に防止するようにした場合である。すなわち、上記第１の座金３０及び第２の座金３０Ａの双方にずれ防止機能をもたせた場合である。
【００３６】
この場合、第２の座金３０Ａは、図６及び図７に示すように、中心部に貫通孔３０ａを有する略矩形状に形成されており、梁材２０の開口部に食い込む第３の係止突起３３が、梁材２０の長手方向に対して直交する方向の対向する辺部に突設されている。この第３の係止突起３３も、上記第１及び第２の係止突起３１，３２と同様に、先端に向かって先鋭な尖先状に形成されている。
【００３７】
なお、第２実施形態において、第１の座金３０及びその他の部分は第１実施形態と同じであるので、同一部分には同一符号を付して説明は省略する。
【００３８】
上記のように構成される第２実施形態の構造によれば、第１の固定ボルト４０と第１の固定ナット４１の締結によって、第１の係止突起３１を容易に梁材２０の第１の凹溝２３の開口部に食い込ませることができると共に、第２の係止突起３２を容易にステー５０の貫通孔５３の周縁部に食い込ませることができ、かつ、第３の係止突起３３を容易に第１の凹溝２３の開口部に食い込ませて、第１の固定ボルト４０及び第２の座金３０Ａの移動を阻止することができる。したがって、施工時に梁材２０の設置位置の寸法誤差が生じても、梁材２０の任意の位置とステー５０とを更に強固に固定することができ、第１の固定ボルト４０と第１の固定ナット４１の締結が緩んだ場合でも梁材２０とステー５０とのずれを更に確実に防止することができる。
【００３９】
第２実施形態において、第２の固定ボルト４２の頭部４４と第２の凹溝２４の開口部との間に介在される座金３０Ｂを、第２の座金３０Ａと同様に形成する方が好ましい。すなわち、座金３０Ｂを略矩形状に形成すると共に、梁材２０の長手方向に対して直交する方向の対向する辺部に梁材２０の開口部に食い込む係止突起を突設する方が好ましい。これにより、第２の固定ボルト４２及び座金３０Ｂの移動を阻止することができ、梁材２０と脚部１０とを更に強固に固定することができる。
【００４０】
なお、上記実施形態では、この発明に係る二重床における梁材の取付構造をフリーアクセスフロアに適用した場合について説明したが、この発明は、その他の床スラブ２上に立設される束材４に連結された脚部１０の上部に載置固定される梁材２０と、この梁材２０上に敷設される床パネル５とを具備する二重床にも適用できる。
【図面の簡単な説明】
【００４１】
【図１】この発明に係る梁材の取付構造の第１実施形態を示す正面図である。
【図２】図１の側面図である。
【図３】この発明における梁材とステーの連結部を示す断面図（ａ）及び（ａ）のＩ−Ｉ線に沿う断面図（ｂ）である。
【図４】図３（ｂ）の要部拡大断面図（ａ）及び座金がずれた状態の拡大断面図（ｂ）である。
【図５】この発明における座金の上方から見た斜視図（ａ）、下方から見た斜視図（ｂ）及び（ｂ）のII−II線に沿う拡大断面図（ｃ）である。
【図６】この発明に係る梁材の取付構造の第２実施形態の要部を示す拡大断面図である。
【図７】第２実施形態における第２の座金を示す斜視図である。
【符号の説明】
【００４２】
２  床スラブ
４  束材
５  床パネル（床材）
１０  脚部
２０  梁材
２３  第１の凹溝
２４  第２の凹溝
２５  係止凸条
３０  第１の座金
３０Ａ  第２の座金
３１  第１の係止突起
３２  第２の係止突起
３３  第３の係止突起
４０  第１の固定ボルト
４１  第１の固定ナット
４４  頭部
５０  ステー
【図１】
0004514147.tif 000002
【図２】
0004514147.tif 000003
【図３】
0004514147.tif 000004
【図４】
0004514147.tif 000005
【図５】
0004514147.tif 000006
【図６】
0004514147.tif 000007
【図７】
0004514147.tif 000008